(57)【要約】【課題】放電ワイヤに過度に負荷がかかることを抑制できながら、放電ワイヤを確実に清掃できる帯電器を提供すること。【解決手段】帯電ユニット２に、放電ワイヤ１９と、アーム部４５およびアーム部４５に支持される清掃部４３を備えるワイヤクリーナー６と、ワイヤクリーナー６の移動をガイドする第１ガイド部２３Ａおよび第１ガイド部２６Ａと、ワイヤクリーナー６の移動をガイドし、第１ガイド部２３Ａおよび第１ガイド部２６Ａの幅よりも小さい幅の第２ガイド部２３Ｂおよび第２ガイド部２６Ｂとを備える。そして、アーム部４５が、第２ガイド部２３Ｂおよび第２ガイド部２６Ｂに位置するときに、清掃部４３が放電ワイヤ１９と接触するように、放電ワイヤ１９を挟み、第１ガイド部２３Ａおよび第１ガイド部２３Ａに位置するときに、清掃部４３が放電ワイヤ１９と接触しないように、放電ワイヤ１９を挟むように構成する。【選択図】図３
2016145901.tif 000002
【特許請求の範囲】
【請求項１】
第１方向に延びる放電ワイヤと、
前記放電ワイヤを清掃するワイヤクリーナーであって、
前記放電ワイヤと間隔を空けて配置される本体部と、
前記本体部から延び、前記放電ワイヤを挟むアーム部と、
前記アーム部に支持され、前記放電ワイヤを清掃する清掃部と、を備えるワイヤクリーナーと、
前記第１方向に沿って延び、前記ワイヤクリーナーの前記第１方向の移動をガイドする第１ガイドであって、前記第１方向の一端部に位置する第１ガイドと、
前記第１ガイドから前記第１方向の他端部に延び、前記ワイヤクリーナーの前記第１方向の移動をガイドする第２ガイドであって、前記第１ガイドの幅よりも小さい幅の第２ガイドと、を備え、
前記アーム部が前記第２ガイドに位置するとき、前記アーム部が、前記清掃部が前記放電ワイヤと接触するように、前記放電ワイヤを挟み、
前記アーム部が前記第１ガイドに位置するとき、前記アーム部が、前記清掃部が前記放電ワイヤと接触しないように、前記放電ワイヤを挟むことを特徴とする、帯電器。
【請求項２】
前記第１ガイドは、前記第１ガイドから前記第２ガイドへ向かうにつれて前記放電ワイヤに近づくように傾斜する傾斜部を有することを特徴とする、請求項１に記載の帯電器。
【請求項３】
前記本体部は、平板形状である平板部と、前記平板部から前記第１方向と直交する第２方向に突出し、前記第１方向に延びる延部とを有し、
前記アーム部は、前記本体部の前記延部から前記第１方向に延びる第１アームと、前記第１アームから前記第２方向に延び、前記清掃部を支持する第２アームと、を有し、
前記本体部の前記平板部から間隔を空けて配置されることを特徴とする、請求項１または２に記載の帯電器。
【請求項４】
前記本体部は、前記平板部から前記放電ワイヤの反対側に突出するリブを有することを特徴とする、請求項３に記載の帯電器。
【請求項５】
前記清掃部は、前記アーム部に支持される弾性部材と、前記弾性部材に支持され、前記放電ワイヤに接触し、前記弾性部材より硬い硬質部材と、を有することを特徴とする、請求項１〜４のいずれか一項に記載の帯電器。
【請求項６】
前記放電ワイヤを支持するフレームを有し、前記フレームは、前記アーム部が前記第１ガイドに位置する前記ワイヤクリーナーが、前記第１ガイドから前記第１方向一端部側へ移動することを規制する規制部を備えることを特徴とする、請求項１〜５のいずれか一項に記載の帯電器。
【発明の詳細な説明】
【技術分野】
【０００１】
本発明は、電子写真方式が採用される画像形成装置に備えられる帯電器に関する。
【背景技術】
【０００２】
電子写真方式の画像形成装置は、帯電器により感光体を帯電させた後、その感光体に静電潜像を形成して、現像剤像を担持させる。このような帯電器として、放電ワイヤとグリッドワイヤとを備えるスコロトロン型帯電器が知られている。
【０００３】
しかるに、放電ワイヤは、感光体を帯電させる時などにおいて、汚れが付着する場合がある。そして、放電ワイヤに汚れが付着すると、感光体の帯電不良が生じる場合がある。
【０００４】
そのため、放電ワイヤの汚れを除去するための清掃部材を備える帯電器が知られている。
【０００５】
例えば、清掃部材が、２つのアーム部を備える支持部材と、放電ワイヤと接触するように、２つのアーム部に挟持される板状スポンジとを備える帯電器が提案されている（例えば、特許文献１参照。）。
【０００６】
そして、そのような帯電器では、清掃部材を移動させることにより、板状スポンジが放電ワイヤと摺擦し、放電ワイヤを清掃する。
【先行技術文献】
【特許文献】
【０００７】
【特許文献１】特開２０１１−５９６１８号公報
【発明の概要】
【発明が解決しようとする課題】
【０００８】
しかし、特許文献１に記載の帯電器では、２つのアーム部に挟持される板状スポンジが、放電ワイヤと常に一定の力で接触しているので、放電ワイヤに過度に負荷がかかり、放電ワイヤが変形し、さらには、破断してしまう場合がある。
【０００９】
そこで、本発明の目的は、放電ワイヤに過度に負荷がかかることを抑制できながら、放電ワイヤを確実に清掃できる帯電器を提供することにある。
【課題を解決するための手段】
【００１０】
（１）本発明の帯電器は、第１方向に延びる放電ワイヤと、放電ワイヤを清掃するワイヤクリーナーであって、放電ワイヤと間隔を空けて配置される本体部と、本体部から延び、放電ワイヤを挟むアーム部と、アーム部に支持され、放電ワイヤを清掃する清掃部と、を備えるワイヤクリーナーと、第１方向に沿って延び、ワイヤクリーナーの第１方向の移動をガイドする第１ガイドであって、第１方向の一端部に位置する第１ガイドと、第１ガイドから第１方向の他端部に延び、ワイヤクリーナーの第１方向の移動をガイドする第２ガイドであって、第１ガイドの幅よりも小さい幅の第２ガイドと、を備えている。そして、アーム部が第２ガイドに位置するとき、アーム部が、清掃部が放電ワイヤと接触するように、放電ワイヤを挟み、アーム部が第１ガイドに位置するとき、アーム部が、清掃部が放電ワイヤと接触しないように、放電ワイヤを挟むことを特徴としている。
【００１１】
このような構成によれば、アーム部が第１ガイドに位置するときに、アーム部が、清掃部が放電ワイヤと接触しないように、放電ワイヤを挟むので、ワイヤクリーナーを、常には、アーム部が第１ガイドに位置するように配置すれば、放電ワイヤに過度な負荷がかかることを抑制できる。
【００１２】
そして、放電ワイヤを清掃するときに、ワイヤクリーナーを、アーム部が第２ガイドに位置するように移動させれば、アーム部が、清掃部が放電ワイヤと接触するように、放電ワイヤを挟むので、清掃部と放電ワイヤとを確実に接触させることができる。
【００１３】
そのため、放電ワイヤに過度な負荷がかかることを抑制できながら、放電ワイヤを確実に清掃できる。
（２）第１ガイドは、第１ガイドから第２ガイドへ向かうにつれて放電ワイヤに近づくように傾斜する傾斜部を有していてもよい。
【００１４】
このような構成によれば、第１ガイドが傾斜部を有しているので、ワイヤクリーナーが、アーム部が第１ガイドに位置する状態から、第１方向の他方に移動すると、アーム部が傾斜部にガイドされて、放電ワイヤに近づくように移動し、第２ガイドへ到達する。
【００１５】
そのため、ワイヤクリーナーが移動したときに、アーム部を、第１ガイドと第２ガイドとに円滑に移動させることができる。
（３）本体部は、平板形状である平板部と、平板部から第１方向と直交する第２方向に突出し、第１方向に延びる延部とを有していてもよい。この場合、アーム部は、本体部の延部から第１方向に延びる第１アームと、第１アームから第２方向に延び、清掃部を支持する第２アームと、を有し、本体部の平板部から間隔を空けて配置される。
【００１６】
このような構成によれば、第１アームが本体部の延部から第１方向に延び、第２アームが、第１アームから第２方向に延びているので、第１アームが第２方向に延びている場合と比較して、ワイヤクリーナーが第２方向に大型化することなく、延部と第１アームとの連続部分と、第２アームとの間の距離を大きく確保することができる。
【００１７】
そして、アーム部は、延部と第１アームとの連続部分を支点として、第１ガイドに位置する状態と、第２ガイドに位置する状態との間を移動するので、アーム部を容易に移動させることができながら、第２アームの移動量を大きく確保することができる。
【００１８】
そのため、第１ガイドに位置するアーム部を、清掃部が放電ワイヤと接触しないように配置できながら、第２ガイドに位置するアーム部を、清掃部と放電ワイヤとが確実に接触するように配置できる。
【００１９】
そのため、放電ワイヤに過度な負荷がかかることを確実に抑制できながら、放電ワイヤをより一層確実に清掃できる。
（４）本体部は、平板部から放電ワイヤの反対側に突出するリブを有していてもよい。
【００２０】
このような構成によれば、ワイヤクリーナーを移動させるときに、本体部のリブを作業者が操作することができるので、ワイヤクリーナーの操作性の向上を図ることができる。
（５）清掃部は、アーム部に支持される弾性部材と、弾性部材に支持され、放電ワイヤに接触し、弾性部材より硬い硬質部材と、を有していてもよい。
【００２１】
このような構成によれば、弾性部材が、放電ワイヤと接触する硬質部材を支持しているので、硬質部材を弾性的に放電ワイヤに接触させることができる。
【００２２】
そのため、放電ワイヤの清掃時において、硬質部材と放電ワイヤとの安定した接触を確保することができ、放電ワイヤを確実に清掃することができる。
（６）帯電器は、放電ワイヤを支持するフレームを有し、フレームは、アーム部が第１ガイドに位置するワイヤクリーナーが、第１ガイドから第１方向一端部側へ移動することを規制する規制部を備えていてもよい。
【００２３】
このような構成によれば、規制部が、アーム部が第１ガイドに位置するワイヤクリーナーが、第１ガイドから第１方向一端部側へ移動することを規制するので、ワイヤクリーナーがフレームから脱落することを抑制することができる。
【発明の効果】
【００２４】
本発明の帯電器では、放電ワイヤに過度に負荷がかかることを抑制できながら、放電ワイヤを確実に清掃できる。
【図面の簡単な説明】
【００２５】
【図１】図１は、本発明の帯電器の一実施形態である帯電ユニットを備えるドラムカートリッジを左上から見た斜視図である。
【図２】図２Ａは、図１に示す帯電ユニットの側断面図であって、ワイヤクリーナーがホームポジションにある状態を示す。図２Ｂは、図２Ａに示す放電ワイヤおよび清掃部の拡大図であって、ワイヤクリーナーがクリーニングポジションにある状態を示す。
【図３】図３は、図２Ａに示す帯電ユニットの底断面図であって、ワイヤクリーナーがホームポジションにある状態を示す。
【図４】図４Ａは、図２Ａに示すクリーナーフレームの側面図である。図４Ｂは、図４Ａに示すクリーナーフレームの正面図である。図４Ｃは、図４Ａに示すクリーナーフレームを前上から見た斜視図である。図４Ｄは、図４Ａに示すクリーナーフレームを左下から見た斜視図である。
【図５】図５Ａは、図３に示す帯電ユニットの右側面図であって、放電ワイヤがワイヤ電極と係合する前の状態を示す。図５Ｂは、図５Ａに示す帯電ユニットの右側面図であって、放電ワイヤがワイヤ電極と係合した状態を示す。
【図６】図６Ａは、図１に示す帯電フレームに対するワイヤクリーナーの組み付けを説明するための説明図であって、ワイヤクリーナーが帯電フレームに組み付けられる前の状態を示す。図６Ｂは、図６Ａに続いて、ワイヤクリーナーが支持フレームに組み付けられる途中の状態を示す。
【図７】図７Ａは、図６Ｂに続いて、ワイヤクリーナーが組み付けられた状態を示す。図７Ｂは、図７Ａに続いて、ワイヤクリーナーがホームポジションに移動された状態を示す。
【図８】図８は、図７Ｂに続いて、カバーが第１側壁に組み付けられる途中の状態を示す。
【図９】図９Ａは、図３に示す帯電ユニットの底断面図であって、ワイヤクリーナーがホームポジションからクリーニングポジションに向かう途中の状態を示す。図９Ｂは、図９Ａに示すワイヤクリーナーがクリーニングポジションにある状態を示す。
【図１０】図１０は、図１に示すドラムカートリッジを備えるプリンタの中央断面図である。
【発明を実施するための形態】
【００２６】
１．ドラムカートリッジの構成
ドラムカートリッジ１は、図１に示すように、ドラムユニット３と、帯電器の一例としての帯電ユニット２とを備えている。
【００２７】
なお、ドラムカートリッジ１に関し、方向について言及する場合には、水平方向に載置したときの方向を基準とし、具体的には、各図に示した矢印方向を基準とする。また、帯電ユニット２に関しても、水平方向に載置されたドラムカートリッジ１に対して組み付けられた状態を基準として前後左右上下を規定する。
【００２８】
なお、左右方向が第１方向の一例であり、左方が第１方向の一方、右方が第１方向の他方の一例である。また、上下方向が第２方向の一例であり、下方が第２方向の一方、上方が第２方向の他方の一例である。また、前後方向が第３方向の一例であり、前方が第３方向の一方、後方が第３方向の他方の一例である。
（１−１）ドラムユニット
ドラムユニット３は、図１および図１０に示すように、ドラムフレーム９０と、感光ドラム９１と、転写ローラ９６とを備えている。
【００２９】
ドラムフレーム９０は、図１に示すように、上端部および前端部が開放される平面視略矩形のトレイ形状を有しており、左側壁９４と、右側壁９５とを備えている。
【００３０】
左側壁９４は、ドラムフレーム９０の左端部であり、前後方向に延びる側面視略矩形の板形状を有している。
【００３１】
右側壁９５は、ドラムフレーム９０の右端部であって、左側壁９４に対して右方に間隔を空けて配置されている。右側壁９５は、前後方向に延びる側面視略矩形の板形状を有している。
【００３２】
感光ドラム９１は、ドラムユニット３の後端部に配置されており、ドラム本体９２と、ドラム軸９３とを備えている。
【００３３】
ドラム本体９２は、左側壁９４の後端部と、右側壁９５の後端部との間に配置されている。ドラム本体９２は、左右方向に延びる略円筒形状を有している。ドラム本体９２は、詳しくは、金属からなる略円筒形状の素管と、素管の表面を被覆する樹脂製の感光層と、素管の左端部を閉鎖する左フランジ部と、素管の右端部を閉鎖する右フランジ部とを備えている。
【００３４】
ドラム軸９３は、金属からなり、左右方向に延びる略円柱形状を有している。また、ドラム軸９３の左右方向の寸法は、ドラム本体９２の左右方向の寸法よりも大きい。また、ドラム軸９３は、ドラム本体９２と中心軸線が一致するように、ドラム本体９２を左右方向に貫通している。また、ドラム軸９３とドラム本体９２とは、相対回転可能である。
【００３５】
そして、ドラム軸９３は、ドラムフレーム９０に相対回転不能に支持されており、ドラム本体９２は、ドラムフレーム９０に対して相対回転可能である。
【００３６】
転写ローラ９６は、図１０に示すように、ドラム本体９２の下方に配置されている。転写ローラ９６の上端部は、ドラム本体９２の下端部に接触している。そして、転写ローラ９６は、ドラムフレーム９０に相対回転可能に支持されている。
（１−２）帯電ユニット
帯電ユニット２は、図１に示すように、感光ドラム９１に対して上方に配置されている。帯電ユニット２は、図１、図２Ａおよび図５Ｂに示すように、フレームの一例としての帯電フレーム４と、グリッド１８と、放電ワイヤ１９と、ワイヤ電極１４と、ワイヤクリーナー６とを備えている。
【００３７】
帯電フレーム４は、図８に示すように、第１側壁７と、第２側壁８と、支持部９と、延長壁１０と、規制部の一例としてのカバー部材５とを備えている。
【００３８】
第１側壁７は、帯電フレーム４の左端部であって、前後方向に延びる側面視略矩形の板形状を有している。第１側壁７は、第１溝部７Ａを有している。
【００３９】
第１溝部７Ａは、第１側壁７の前後方向略中央に配置されている。第１溝部７Ａは、上方に向かって開放される側面視略凹形状を有している。第１溝部７Ａは、第１側壁７の上端縁の前後方向略中央から下方に向かって凹んでおり、第１側壁７を左右方向に貫通している。
【００４０】
第２側壁８は、図５Ａおよび図５Ｂに示すように、帯電フレーム４の右端部であって、第１側壁７に対して右方に間隔を空けて配置されている。第２側壁８は、側壁本体８Ａと、側壁突出部８Ｂとを備えている。
【００４１】
側壁本体８Ａは、第２側壁８の上方部分であって、第１側壁７と略同じ形状およびサイズを有している。側壁本体８Ａは、第２溝部８Ｃと、電極凹部８Ｄと、電極凸部８Ｅと、引掛部８Ｆとを有している。
【００４２】
第２溝部８Ｃは、側壁本体８Ａの前後方向略中央に配置されており、図８に示すように、左右方向から見て、第１側壁７の第１溝部７Ａと重なるように配置されている。第２溝部８Ｃは、図５Ａに示すように、上方に向かって開放される側面視略凹形状を有している。第２溝部８Ｃは、第２側壁８の上端縁の前後方向略中央から下方に向かって凹んでおり、第２側壁８を左右方向に貫通している。
【００４３】
電極凹部８Ｄは、側壁本体８Ａの右面において、第２溝部８Ｃの前方に間隔を空けて配置されている。電極凹部８Ｄは、側面視略矩形形状を有しており、側壁本体８Ａの右面から左方に向かって凹んでいる。
【００４４】
電極凸部８Ｅは、側壁本体８Ａの右面において、電極凹部８Ｄの前上方に配置されている。電極凸部８Ｅは、側面視略矩形形状を有しており、側壁本体８Ａの右面から右方に向かって突出している。
【００４５】
引掛部８Ｆは、電極凸部８Ｅの上面の前後方向略中央に配置されている。引掛部８Ｆは、側面視略矩形形状を有しており、電極凸部８Ｅの上面から上方に向かって突出している。引掛部８Ｆの前後方向の寸法は、電極凸部８Ｅの前後方向の寸法よりも小さく、引掛部８Ｆの左右方向の寸法は、電極凸部８Ｅの左右方向の寸法よりも小さい。
【００４６】
側壁突出部８Ｂは、第２側壁８の下方部分であって、側壁本体８Ａの下端縁における前後方向略中央から下方に向かって突出している。側壁突出部８Ｂは、側面視略矩形の板形状を有している。側壁突出部８Ｂは、貫通穴８Ｇを有している。
【００４７】
貫通穴８Ｇは、側壁突出部８Ｂの側面視略中央に配置されている。貫通穴８Ｇは、側面視略円形形状を有しており、側壁突出部８Ｂを左右方向に貫通している。
【００４８】
支持部９は、図２Ａおよび図３に示すように、第１側壁７の前後方向略中央部分と、第２側壁８の前後方向略中央部分との間に配置されている。支持部９は、図２Ａおよび図５Ａに示すように、第１レール部１１と、第２レール部１２と、第１係合部１５と、第２係合部１６とを備えている。
【００４９】
第１レール部１１は、図２Ａに示すように、支持部９の前端部に配置されており、第１支持壁２１と、第１メインレール２２と、第１ガイドレール２３とを備えている。
【００５０】
第１支持壁２１は、左右方向に延びる正面視略矩形の板形状を有している。第１支持壁２１の左端部は、第１側壁７の右面における第１溝部７Ａの前方周縁に接続されており、第１支持壁２１の右端部は、図８に示すように、第２側壁８の左面における第２溝部８Ｃの前方周縁に接続されている。
【００５１】
第１メインレール２２は、図２Ａに示すように、第１支持壁２１の後面における上端部に配置されている。第１メインレール２２は、第１支持壁２１の後面から後方に向かって延びており、図１に示すように、第１支持壁２１の左右方向全体にわたって延びている。第１メインレール２２は、図６Ａに示すように、凹部２２Ａと、切欠部２２Ｂとを有している。
【００５２】
凹部２２Ａは、第１メインレール２２の左端部に配置されている。凹部２２Ａは、後方に向かって開放される平面視略凹形状を有しており、第１メインレール２２の後端縁から前方に向かって凹んでいる。
【００５３】
切欠部２２Ｂは、第１メインレール２２の左端部において、凹部２２Ａの左方に配置されている。切欠部２２Ｂは、凹部２２Ａの左端縁の後方部分から連続して、左方に向かって延びた後、後方に向かって屈曲するように、第１メインレール２２を切り欠いている。
【００５４】
第１ガイドレール２３は、図２Ａおよび図３に示すように、第１メインレール２２の下面における前後方向略中央に配置されている。第１ガイドレール２３は、第１メインレール２２の下面から下方に向かって突出しており、左右方向に沿って延びている。
【００５５】
第１ガイドレール２３は、図３に示すように、第１ガイド部２３Ａと、第２ガイド部２３Ｂとを有している。
【００５６】
第１ガイド部２３Ａは、第１ガイドレール２３の左端部に位置しており、左右方向に延びている。詳しくは、第１ガイド部２３Ａは、第１部分２３Ｃと、傾斜部の一例としての第２部分２３Ｄとを有している。
【００５７】
第１部分２３Ｃは、第１ガイド部２３Ａの左方部分であって、左右方向に沿って延びている。第１部分２３Ｃは、凹部２２Ａの下方に配置されており、第１部分２３Ｃの上端部が、第１メインレール２２の下面における凹部２２Ａの後方周縁に接続されている。
【００５８】
第２部分２３Ｄは、第１ガイド部２３Ａの右方部分であって、第１部分２３Ｃの右端部から連続して、右方に向かうにつれて後方に傾斜している。第２部分２３Ｄは、第１メインレール２２の下面において、凹部２５Ａの右方に配置されている。
【００５９】
第２ガイド部２３Ｂは、第２部分２３Ｄの右端部から連続して右方に向かって、第１ガイドレール２３の右端部まで延びている。つまり、第２ガイド部２３Ｂは、第１ガイド部２３Ａの第１部分２３Ｃよりも後方に位置しており、左右方向に沿って延びている。
【００６０】
第２レール部１２は、図２Ａに示すように、支持部９の後端部に配置されており、第１レール部１１に対して後方に間隔を空けて配置されている。第２レール部１２は、第１レール部１１と前後が反対である点を除いて略同じ構成を有している。詳しくは、第２レール部１２は、第２支持壁２４と、第２メインレール２５と、第２ガイドレール２６とを備えている。
【００６１】
第２支持壁２４は、左右方向に延びる背面視略矩形の板形状を有している。第２支持壁２４の左端部は、第１側壁７の右面における第１溝部７Ａの後方周縁に接続されており、第２支持壁２４の右端部は、図８に示すように、第２側壁８の左面における第２溝部８Ｃの後方周縁に接続されている。
【００６２】
第２メインレール２５は、図２Ａに示すように、第２支持壁２４の前面における上端部に配置されている。第２メインレール２５は、第２支持壁２４の前面から前方に向かって延びており、図１に示すように、第２支持壁２４の左右方向全体にわたって延びている。第２メインレール２５の前端部は、図２Ａに示すように、第１メインレール２２の後端部に対して、後方に間隔を空けて配置されている。第２メインレール２５は、図６Ａに示すように、凹部２５Ａと、切欠部２５Ｂとを有している。
【００６３】
凹部２５Ａは、前後方向から見て凹部２２Ａと重なるように、第２メインレール２５の左端部に配置されている。凹部２５Ａは、前方に向かって開放される平面視略凹形状を有しており、第２メインレール２５の前端縁から後方に向かって凹んでいる。
【００６４】
切欠部２５Ｂは、第２メインレール２５の左端部において、凹部２５Ａの左方に配置されている。切欠部２５Ｂは、凹部２５Ａの左端縁の前方部分から連続して、左方に延びた後、前方に向かって屈曲するように、第２メインレール２５を切り欠いている。
【００６５】
第２ガイドレール２６は、図２Ａおよび図３に示すように、第２メインレール２５の下面の前後方向略中央に配置されている。第２ガイドレール２６は、第２メインレール２５の下面から下方に向かって突出しており、左右方向に沿って延びている。
【００６６】
第２ガイドレール２６は、図３に示すように、第１ガイド部２６Ａと、第２ガイド部２６Ｂとを有している。
【００６７】
第１ガイド部２６Ａは、第２ガイドレール２６の左端部に位置しており、第１ガイドレール２３の第１ガイド部２３Ａに対して後方に間隔を空けて向かい合っている。第１ガイド部２６Ａは、左右方向に延びており、詳しくは、第１部分２６Ｃと、傾斜部の一例としての第２部分２６Ｄとを有している。
【００６８】
第１部分２６Ｃは、第１ガイド部２６Ａの左方部分であって、左右方向に沿って延びている。第１部分２６Ｃは、凹部２５Ａの下方に配置されており、第１部分２６Ｃの上端部は、第２メインレール２５の下面における凹部２５Ａの後方周縁に接続されている。
【００６９】
第２部分２６Ｄは、第１ガイド部２６Ａの右方部分であって、第１部分２６Ｃの右端部から連続して、右方に向かうにつれて前方に傾斜している。第２部分２６Ｄは、第２メインレール２５の下面において、凹部２５Ａの右方に配置されている。
【００７０】
第２ガイド部２６Ｂは、第２部分２６Ｄの右端部から連続して右方に向かって、第２ガイドレール２６の右端部まで延びている。つまり、第２ガイド部２６Ｂは、第１ガイド部２６Ａの第１部分２６Ｃよりも前方に位置しており、左右方向に沿って延びている。
【００７１】
また、第２ガイド部２６Ｂは、第１ガイドレール２３の第２ガイド部２３Ｂに対して後方に間隔を空けて向かい合っている。
【００７２】
これによって、第１ガイドレール２３の第２ガイド部２３Ｂと、第２ガイドレール２６の第２ガイド部２６Ｂとの前後方向の間の間隔は、第１ガイドレール２３の第１部分２３Ｃと、第２ガイドレール２６の第１部分２６Ｃとの前後方向の間の間隔よりも小さい。つまり、第２ガイド部２３Ｂおよび第２ガイド部２６Ｂの幅は、第１ガイド部２３Ａの第１部分２３Ｃおよび第１ガイド部２６Ａの第１部分２６Ｃの幅よりも小さい。
【００７３】
第１係合部１５は、図２Ａおよび図６Ａに示すように、支持部９の左端部に配置されており、第１支持壁２１の左端部と、第２支持壁２４の左端部との間に配置されている。第１係合部１５は、第１連結壁２７と、係止部２８と、第１突起２９と、第２突起３０とを備えている。
【００７４】
第１連結壁２７は、第１係合部１５の下端部であって、上下方向から見て凹部２２Ａおよび凹部２５Ａと重なるように、第１メインレール２２の左端部および第２メインレール２５の左端部に対して下方に間隔を空けて配置されている。第１連結壁２７は、底面視略矩形の板形状を有している。第１連結壁２７の左端部は、第１側壁７の右面において、第１溝部７Ａの下方周縁に接続されている。また、第１連結壁２７の前端部は、第１支持壁２１の下端部に接続され、第１連結壁２７の後端部は、第２支持壁２４の下端部に接続されている。
【００７５】
係止部２８は、図２Ａに示すように、第１連結壁２７の上面に配置されている。係止部２８は、側面視略矩形の板形状を有しており、第１連結壁２７の上面から上方に向かって突出している。また、係止部２８の前端部は、第１支持壁２１の後面に接続され、係止部２８の後端部は、第２支持壁２４の前面に接続されている。係止部２８の上端部は、第１メインレール２２および第２メインレール２５よりも下方に位置している。また、係止部２８は、係止溝２８Ａを有している。
【００７６】
係止溝２８Ａは、係止部２８の上端部における前後方向略中央に配置されている。係止溝２８Ａは、上方に向かって開放される側面視略Ｕ字形状を有している。係止溝２８Ａは、係止部２８の上端部の前後方向略中央から下方に向かって凹み、係止部２８を左右方向に貫通している。係止溝２８Ａの溝幅は、後述するワイヤ３５の外径と略同じである。
【００７７】
第１突起２９は、図６Ａに示すように、第１連結壁２７の上面において、係止部２８に対して前右方に間隔を空けて配置されている。第１突起２９は、上下方向から見て、凹部２２Ａと重なるように配置されている。第１突起２９は、上下方向に延びる略角柱形状を有しており、第１連結壁２７の上面から上方に延びている。第１突起２９の上端部は、図６Ｂに示すように、第１メインレール２２よりも下方に位置している。
【００７８】
第２突起３０は、図６Ａに示すように、第１連結壁２７の上面において、第１突起２９に対して後方に間隔を空けて配置されている。第２突起３０は、上下方向から見て、凹部２５Ａと重なるように配置されている。第２突起３０は、上下方向に延びる略角柱形状を有しており、第１連結壁２７の上面から上方に延びている。第２突起３０の上端部は、図６Ｂに示すように、第２メインレール２５よりも下方に位置している。
【００７９】
第２係合部１６は、図５Ａに示すように、支持部９の右端部に配置されており、第１支持壁２１の右端部と、第２支持壁２４の右端部との間に配置されている。第１係合部１５は、第２連結壁３１と、ワイヤ曲部３２とを備えている。
【００８０】
第２連結壁３１は、第２係合部１６の下端部であって、底面視略矩形の板形状を有している。第２連結壁３１の右端部は、第２側壁８の左面において、第２溝部８Ｃの下方周縁に接続されている。また、第２連結壁３１の前端部は、第１支持壁２１の下端部に接続され、第２連結壁３１の後端部は、第２支持壁２４の下端部に接続されている。
【００８１】
ワイヤ曲部３２は、第２連結壁３１の上面に配置されている。ワイヤ曲部３２は、側面視略矩形の板形状を有しており、第２連結壁３１の上面から上方に向かって突出している。また、ワイヤ曲部３２の前端部は、第１支持壁２１の後面に接続され、ワイヤ曲部３２の後端部は、第２支持壁２４の前面に接続されている。また、ワイヤ曲部３２は、溝部３２Ａを有している。
【００８２】
溝部３２Ａは、ワイヤ曲部３２の上方部分に配置されている。溝部３２Ａは、上方に向かって開放される側面視略Ｕ字形状を有している。溝部３２Ａは、係止部２８の上端部から下方に向かって凹み、ワイヤ曲部３２を左右方向に貫通している。
【００８３】
延長壁１０は、図１および図２Ａに示すように、支持部９の後方において、第１側壁７の後方部分と、第２側壁８の後方部分との間に配置されている。延長壁１０は、左右方向に延びる平面視略矩形の板形状を有している。延長壁１０の前端部は、第２支持壁２４の後面に接続され、延長壁１０の左端部は、第１側壁７の右面に接続され、延長壁１０の右端部は、第２側壁８の左面に接続されている。
【００８４】
カバー部材５は、図８に示すように、第１側壁７および左側壁９４の後端部に対して左方に配置されている。カバー部材５は、カバープレート５８と、カバー突出部５９とを有している。
【００８５】
カバープレート５８は、側面視略矩形の板形状を有している。また、カバープレート５８は、軸挿通穴５８Ａを有している。
【００８６】
軸挿通穴５８Ａは、カバープレート５８の前下端部に配置されている。軸挿通穴５８Ａは、側面視略円形形状を有しており、カバープレート５８を左右方向に貫通している。
【００８７】
カバー突出部５９は、図１に示すように、カバープレート５８の右面における上方部分に配置されている。カバー突出部５９は、平面視略Ｌ字の板形状を有しており、カバープレート５８の右面から右方に向かって突出している。
【００８８】
グリッド１８は、第１メインレール２２および第２メインレール２５よりも下方において、第１支持壁２１と第２支持壁２４との間に配置されている。これにより、グリッド１８は、支持部９に支持されている。
【００８９】
グリッド１８は、上方に向かって開放される側面視略凹形状を有しており、左右方向に延びている。また、グリッド１８の底部は、左右方向に延びる線状部材を、前後方向に間隔を空けて並列するように複数有している。
【００９０】
放電ワイヤ１９は、詳しくは後述するが、図３に示すように、帯電フレーム４に組み付けられた状態で、第１係合部１５と第２係合部１６との間に架け渡される。放電ワイヤ１９は、左右方向に延びており、ワイヤ３５と、２つのリングフック３６とを備えている。
【００９１】
ワイヤ３５は、左右方向に沿って延びており、例えば、タングステンワイヤである。ワイヤ３５の外径は、例えば、４０μｍ以上６０μｍ以下である。
【００９２】
２つのリングフック３６のうち、一方のリングフック３６は、図６Ａに示すように、ワイヤ３５の左端部に固定されており、他方のリングフック３６は、図５Ａに示すように、ワイヤ３５の右端部に固定されている。リングフック３６は、略円環形状を有している。
【００９３】
ワイヤ電極１４は、第２側壁８の右面に配置されている。ワイヤ電極１４は、１本の導電性の線状部材からなり、コイル部３８と、第１電極アーム３９と、第２電極アーム４０とを備えている。
【００９４】
コイル部３８は、上下方向に延びる空芯コイル形状を有している。
【００９５】
第１電極アーム３９は、コイル部３８の下端部から連続して延びており、第１連続部３９Ａと、フック部３９Ｂとを有している。
【００９６】
第１連続部３９Ａは、コイル部３８の下端部から連続して後方に向かうにつれて、右方に傾斜するように延びている。
【００９７】
フック部３９Ｂは、前方に向かって開放される側面視略Ｕ字形状を有しており、第１連続部３９Ａの後端部から連続して、前方にＵターンするように延びている。
【００９８】
第２電極アーム４０は、コイル部３８の上端部から連続して延びており、第２連続部４０Ａと、接点部４０Ｂとを有している。
【００９９】
第２連続部４０Ａは、コイル部３８の上端部から連続して、前方に向かって延びている。
【０１００】
接点部４０Ｂは、第２連続部４０Ａの前端部から連続して、上方に向かって延びた後、左方に向かって屈曲し、次いで、右方に向かってＵターンし、続いて下方に向かって屈曲している。
【０１０１】
そして、ワイヤ電極１４は、コイル部３８が電極凹部８Ｄに収容され、かつ、第２電極アーム４０の接点部４０Ｂの上端部が引掛部８Ｆに係合するように、第２側壁８の右面に配置されている。これにより、ワイヤ電極１４は、第２側壁８に支持されている。また、第１電極アーム３９のフック部３９Ｂは、詳しくは後述するが、図５Ｂに示すように、放電ワイヤ１９の右方のリングフック３６に係合する。
【０１０２】
ワイヤクリーナー６は、詳しくは後述するが、帯電フレーム４に組み付けられた状態で、左右方向にスライド移動可能に支持部９に支持されている。ワイヤクリーナー６は、図２Ａに示すように、クリーナーフレーム４２と、清掃部４３とを備えている。
【０１０３】
クリーナーフレーム４２は、図４Ａ〜図４Ｄに示すように、本体部４４と、アーム部４５とを備えている。
【０１０４】
本体部４４は、クリーナーフレーム４２の上方部分であって、平板部４６と、リブ４７と、延部４８とを有している。
【０１０５】
平板部４６は、図４Ｃに示すように、左右方向に延びる平面視略矩形の平板形状を有している。
【０１０６】
リブ４７は、平板部４６の上面における右方部分に配置されている。リブ４７は、前後方向に延びる略角筒形状を有しており、平板部４６の上面から上方に向かって突出している。
【０１０７】
延部４８は、図４Ｄに示すように、平板部４６の下面における左方部分に配置されている。延部４８は、前後方向に延びる底面視略矩形の枠形状を有しており、平板部４６の下面から下方に向かって突出している。延部４８の前後方向の寸法は、図９Ｂに示すように、第１メインレール２２の後端部と第２メインレール２５の前端部との間の間隔と略同じである。
【０１０８】
アーム部４５は、図４Ａに示すように、クリーナーフレーム４２の下方部分であって、平板部４６に対して下方に間隔を空けて配置されている。アーム部４５は、フロントアーム５０と、リアアーム５１とを備えている。
【０１０９】
フロントアーム５０は、図４Ｂに示すように、正面視略Ｌ字形状を有しており、第１アームの一例としての第１フロントアーム５２と、第２アームの一例としての第２フロントアーム５３とを備えている。
【０１１０】
第１フロントアーム５２は、延部４８から右方に向かって延びており、連結部５２Ａと、延長部５２Ｂと、ガイド接触部５２Ｃと、張出部５２Ｄとを備えている。
【０１１１】
連結部５２Ａは、第１フロントアーム５２の左端部であって、延部４８の右前端部から連続して、右下方に向かって突出している。
【０１１２】
延長部５２Ｂは、連結部５２Ａから連続して右方に向かって延びており、平板部４６の右方部分に対して、下方に間隔を空けて配置されている。延長部５２Ｂの上面は、右方に向かうにつれて下方に傾斜している。
【０１１３】
ガイド接触部５２Ｃは、図３に示すように、第１フロントアーム５２の右端部に配置されており、底面視略矩形の板形状を有している。そして、ガイド接触部５２Ｃの左後端部が、延長部５２Ｂの右前端部に接続されている。ガイド接触部５２Ｃの下面は、延長部５２Ｂの下面と面一である。
【０１１４】
また、ガイド接触部５２Ｃの前面は、第１接触面５２Ｅと、第２接触面５２Ｆと、傾斜面５２Ｇとを有している。
【０１１５】
第１接触面５２Ｅは、ガイド接触部５２Ｃの前面における右端部であって、右後方および左前方を結ぶ方向に延びている。第１接触面５２Ｅの左右方向に対する傾斜は、第１ガイド部２３Ａの第２部分２３Ｄの左右方向に対する傾斜と略同じである。
【０１１６】
第２接触面５２Ｆは、ガイド接触部５２Ｃの前面における左右方向略中央部分であって、第１接触面５２Ｅの左端部から連続して、左方に向かって延びている。
【０１１７】
傾斜面５２Ｇは、ガイド接触部５２Ｃの前面における左端部であって、第２接触面５２Ｆの左端部から連続して、左方に向かうにつれて後方に傾斜している。
【０１１８】
張出部５２Ｄは、図４Ｄに示すように、ガイド接触部５２Ｃの後方に配置されている。張出部５２Ｄは、左右方向に延びる底面視略矩形の板形状を有しており、延長部５２Ｂの前面から前方に向かって突出している。張出部５２Ｄの左右方向の寸法は、ガイド接触部５２Ｃの左右方向の寸法よりも小さい。張出部５２Ｄの右端部は、ガイド接触部５２Ｃの左端部に連続している。張出部５２Ｄの下面は、ガイド接触部５２Ｃの下面と面一である。
【０１１９】
第２フロントアーム５３は、図４Ｂに示すように、第１フロントアーム５２から下方に向かって延びており、上下方向から見て、リブ４７と重なるように配置されている。第２フロントアーム５３は、突出部５３Ａと、挟持部５３Ｂとを備えている。
【０１２０】
突出部５３Ａは、延長部５２Ｂの下面における右端部から連続して、下方に向かって延びている。突出部５３Ａは、図４Ｄに示すように、上下方向に延びる側面視略矩形の板形状を有している。
【０１２１】
挟持部５３Ｂは、突出部５３Ａの右面から右方に向かって突出しており、上下方向に延びている。挟持部５３Ｂの上端部は、ガイド接触部５２Ｃの下面における後方部分に接続されている。
【０１２２】
リアアーム５１は、図４Ａに示すように、フロントアーム５０に対して後方に間隔を空けて配置されている。リアアーム５１は、フロントアーム５０と前後が反対である点を除いて略同じ構成を有している。詳しくは、リアアーム５１は、第１アームの一例としての第１リアアーム５４と、第２アームの一例としての第２リアアーム５５とを備えている。
【０１２３】
第１リアアーム５４は、図４Ｄに示すように、延部４８から右方に向かって延びており、連結部５４Ａと、延長部５４Ｂと、ガイド接触部５４Ｃと、張出部５４Ｄとを備えている。
【０１２４】
連結部５４Ａは、第１リアアーム５４の左端部であって、延部４８の右後端部から連続して、右下方に向かって突出している。
【０１２５】
延長部５４Ｂは、連結部５４Ａから連続して右方に向かって延びており、平板部４６の右方部分に対して、下方に間隔を空けて配置されている。延長部５４Ｂの上面は、右方に向かうにつれて下方に傾斜している。
【０１２６】
ガイド接触部５４Ｃは、図３に示すように、第１リアアーム５４の右端部に配置されており、底面視略矩形の板形状を有している。そして、ガイド接触部５４Ｃの左前端部が、延長部５４Ｂの右後端部に接続されている。ガイド接触部５４Ｃの下面は、延長部５４Ｂの下面と面一である。
【０１２７】
また、ガイド接触部５４Ｃの後面は、第１接触面５４Ｅと、第２接触面５４Ｆと、傾斜面５４Ｇとを有している。
【０１２８】
第１接触面５４Ｅは、ガイド接触部５４Ｃの後面における右端部であって、右前方および左後方を結ぶ方向に延びている。第１接触面５４Ｅの左右方向に対する傾斜は、第１ガイド部２６Ａの第２部分２６Ｄの左右方向に対する傾斜と略同じである。
【０１２９】
第２接触面５４Ｆは、ガイド接触部５４Ｃの後面における左右方向略中央部分であって、第１接触面５４Ｅの左端部から連続して、左方に向かって延びている。
【０１３０】
傾斜面５４Ｇは、ガイド接触部５４Ｃの後面における左端部であって、第２接触面５４Ｆの左端部から連続して、左方に向かうにつれて前方に傾斜している。
【０１３１】
張出部５４Ｄは、図４Ｄに示すように、ガイド接触部５４Ｃの後方に配置されている。張出部５４Ｄは、前後方向に延びる底面視略矩形の板形状を有しており、延長部５４Ｂの後面から後方に向かって突出している。張出部５４Ｄの左右方向の寸法は、ガイド接触部５４Ｃの左右方向の寸法よりも小さい。張出部５４Ｄの右端部は、ガイド接触部５４Ｃの左端部に連続している。また、張出部５４Ｄの下面は、ガイド接触部５４Ｃの下面と面一である。
【０１３２】
第２リアアーム５５は、第１リアアーム５４から下方に向かって延びており、上下方向から見て、リブ４７と重なるように配置されている。第２リアアーム５５は、突出部５５Ａと、挟持部５５Ｂとを備えている。
【０１３３】
突出部５５Ａは、延長部５４Ｂの下面における右端部から連続して、下方に向かって延びている。突出部５５Ａは、上下方向に延びる側面視略矩形の板形状を有している。
【０１３４】
挟持部５５Ｂは、突出部５５Ａの右面から右方に向かって突出しており、上下方向に延びている。挟持部５５Ｂの上端部は、ガイド接触部５４Ｃの下面における前方部分に接続されている。
【０１３５】
清掃部４３は、図２Ａに示すように、平板部４６に対して下方において、アーム部４５に支持されている。清掃部４３は、弾性部材５６と、硬質部材５７とを備えている。
【０１３６】
弾性部材５６は、例えば、ウレタンスポンジ部材などの弾性発泡体からなり、図示しないが、アーム部４５に組み付けられる前の状態において、前後方向に延びる略角柱形状を有している。また、弾性部材５６の２５％圧縮荷重は、例えば、０．０４ＭＰａ以上、好ましくは、０．１４ＭＰａ以上、例えば、１．３７ＭＰａ以下、好ましくは、０．３９ＭＰａ以下である。なお、２５％圧縮荷重は、ＪＩＳ  Ｋ  ６７６７に準じ、公知の圧縮試験機により測定することができる。
【０１３７】
硬質部材５７は、公知の両面テープなどにより、弾性部材５６の下面に貼着されている。つまり、硬質部材５７は、弾性部材５６に支持されている。硬質部材５７は、例えば、ポリエチレンテレフタレート、ポリアセタール、ポリテトラフルオロエチレンなどからなる高分子フィルムである。また、硬質部材５７の圧縮弾性率（２５℃）は、例えば、１ＧＰａ以上、好ましくは、２ＧＰａ以上、例えば、１０ＧＰａ以下、好ましくは、６ＧＰａ以下である。つまり、硬質部材５７は、弾性部材５６よりも硬い。なお、圧縮弾性率は、公知の圧縮試験機により測定することができる。
【０１３８】
そして、清掃部４３は、下方に向かって開放される側面視略Ｕ字状に折り返されて、第２フロントアーム５３の挟持部５３Ｂと、第２リアアーム５５の挟持部５５Ｂとの間に挟まれる。また、清掃部４３は、公知の両面テープにより、挟持部５３Ｂおよび挟持部５５Ｂに貼着してもよい。
【０１３９】
清掃部４３が、側面視略Ｕ字状に折り返されて、挟持部５３Ｂと挟持部５５Ｂとの間に挟まれた状態において、清掃部４３の前方部分と清掃部４３の後方部分との間には、隙間Ｓ１が画定される。隙間Ｓ１の前後方向の寸法は、図２Ａに示すように、ワイヤ３５の外径よりも大きい。
（１−３）ドラムカートリッジの組み立て
次に、ドラムカートリッジ１の組み立てについて説明する。
【０１４０】
ドラムカートリッジ１を組み立てるには、まず、帯電ユニット２が、作業者により、組み立てられる。
【０１４１】
より具体的には、まず、図５Ａおよび図６Ａに示すように、グリッド１８およびワイヤ電極１４を支持する帯電フレーム４に、放電ワイヤ１９が組み付けられる。
【０１４２】
より詳しくは、放電ワイヤ１９の左方のリングフック３６が、図６Ａに示すように、係止部２８に対して左方に位置するように、ワイヤ３５の左端部を、図２Ａに示すように、係止溝２８Ａに挿通する。
【０１４３】
そして、放電ワイヤ１９の右方のリングフック３６が、図５Ａに示すように、ワイヤ曲部３２に対して右方に位置するように、ワイヤ３５の右端部を、溝部３２Ａに挿通する。
【０１４４】
次いで、ワイヤ電極１４の第１電極アーム３９を、コイル部３８のねじりによる付勢力に抗して、左方に向かって移動させた後、フック部３９Ｂを、右方のリングフック３６に引っ掛ける。
【０１４５】
すると、右方のリングフック３６は、コイル部３８のねじりによる付勢力により、右前方に引っ張れられる。このとき、左方のリングフック３６は、図６Ａに示すように、係止部２８と当接して、右方への移動が規制されている。
【０１４６】
これによって、放電ワイヤ１９のワイヤ３５は、引っ張られた状態で、第１係合部１５と第２係合部１６との間に、左右方向に延びるように架け渡される。
【０１４７】
このとき、放電ワイヤ１９のワイヤ３５は、図２Ａに示すように、前後方向において、第１支持壁２１と第２支持壁２４との間における略中央に配置されている。
【０１４８】
つまり、図３に示すように、第１ガイドレール２３の第２部分２３Ｄは、第１部分２３Ｃから第２ガイド部２３Ｂへ向かうにつれてワイヤ３５に近づくように傾斜しており、第２ガイドレール２６の第２部分２６Ｄは、第１部分２６Ｃから第２ガイド部２６Ｂへ向かうにつれてワイヤ３５に近づくように傾斜している。
【０１４９】
以上によって、放電ワイヤ１９が、帯電フレーム４に組み付けられ、支持部９に支持される。
【０１５０】
次いで、図６Ｂに示すように、ワイヤクリーナー６が、支持部９の左端部に対して上方から組み付けられる。
【０１５１】
このとき、図４Ｃおよび図６Ａに示すように、フロントアーム５０のガイド接触部５２Ｃは、凹部２２Ａを通過し、第１突起２９の上端部に上方から当接する。また、リアアーム５１のガイド接触部５４Ｃは、凹部２５Ａを通過し、第２突起３０の上端部に上方から当接する。
【０１５２】
このとき、清掃部４３は、図２Ａおよび図６Ｂに示すように、ワイヤ３５と接触することなく、隙間Ｓ１にワイヤ３５を受け入れる。
【０１５３】
また、フロントアーム５０の張出部５２Ｄは、図４Ｃおよび図６Ａに示すように、切欠部２２Ｂに受け入れられ、リアアーム５１の張出部５４Ｄは、切欠部２５Ｂに受け入れられる。
【０１５４】
なお、ワイヤクリーナー６の左右が逆である場合、ワイヤクリーナー６を支持部９に組み付けると、張出部５２Ｄが、第１メインレール２２の凹部２２Ａよりも右方の部分に上方から当接し、張出部５４Ｄが、第２メインレール２５の凹部２５Ａよりも右方の部分に上方から当接する。つまり、ワイヤクリーナー６の左右が逆である場合、支持部９に組み付けられることが規制される。
【０１５５】
また、クリーナーフレーム４２の延部４８は、第１メインレール２２の左端部と、第２メインレール２５の左端部との間に配置される。
【０１５６】
次いで、図７Ａおよび図７Ｂに示すように、ワイヤクリーナー６が、右方に移動され、ホームポジションに位置する。
【０１５７】
このとき、図２Ａおよび図３に示すように、ガイド接触部５２Ｃの右端部と、平板部４６の右前端部とが、それらの間に第１メインレール２２の後端部を受け入れるとともに、ガイド接触部５４Ｃの右端部と、平板部４６の右後端部とが、それらの間に第２メインレール２５の前端部を受け入れる。
【０１５８】
また、ガイド接触部５２Ｃは、図３に示すように、第１ガイドレール２３の第１ガイド部２３Ａに対して、後方に僅かに間隔を空けて位置し、ガイド接触部５４Ｃは、第２ガイドレール２６の第１ガイド部２６Ａに対して前方に僅かに間隔を空けて位置している。
【０１５９】
また、図２Ａに示すように、本体部４４の平板部４６は、ワイヤ３５に対して上方に間隔を空けて配置されている。つまり、リブ４７は、平板部４６からワイヤ３５の反対側に突出している。
【０１６０】
また、挟持部５３Ｂおよび挟持部５５Ｂは、ワイヤ３５を挟むように配置されており、清掃部４３を挟持している。そして、ワイヤクリーナー６がホームポジションにある状態において、清掃部４３は、図３に示すように、ワイヤ３５と接触することなく、ワイヤ３５に対して、前後方向に間隔Ｓ２を空けて配置されている。つまり、ワイヤクリーナー６がホームポジションにある状態において、挟持部５３Ｂおよび挟持部５５Ｂは、清掃部４３がワイヤ３５と接触しないように、ワイヤ３５を挟んでいる。
【０１６１】
なお、ワイヤクリーナー６がホームポジションにある状態において、挟持部５３Ｂおよび挟持部５５Ｂが清掃部４３を挟む力Ｆ１が、第２挟持力の一例である。
【０１６２】
次いで、図１に示すように、ドラム本体９２が左側壁９４の後端部と右側壁９５の後端部との間に配置されるドラムフレーム９０を準備する。
【０１６３】
そして、放電ワイヤ１９およびワイヤクリーナー６が組み付けられた帯電フレーム４を、ドラム本体９２を上方から覆うように、ドラムフレーム９０に組み付ける。
【０１６４】
このとき、図８に示すように、第１側壁７が、左側壁９４の後端部に対して上方に配置され、第２側壁８の側壁本体８Ａが、右側壁９５の後端部に対して上方に配置される。これにより、第２側壁８の側壁突出部８Ｂは、図示しないが、右側壁９５の後端部に対して右方に配置される。
【０１６５】
次いで、カバー部材５を、第１側壁７および左側壁９４の後端部に対して左方から組み付ける。
【０１６６】
すると、図１に示すように、カバープレート５８が、第１側壁７および左側壁９４の後上端部に対して左方に配置され、クリーナーフレーム４２の平板部４６の左方に位置する。また、カバー突出部５９は、平板部４６の左方部分を覆うように、平板部４６に対して上方に配置される。
【０１６７】
これによって、ホームポジションに位置するワイヤクリーナー６が、左方へ向かって移動することが規制される。つまり、図３に示すように、第１フロントアーム５２のガイド接触部５２Ｃが、第１ガイドレール２３の第１ガイド部２３Ａから左方へ移動することが規制されるとともに、第１リアアーム５４のガイド接触部５４Ｃが、第２ガイドレール２６の第１ガイド部２６Ａから左方へ移動することが規制される。
【０１６８】
次いで、図１に示すように、ドラム軸９３を、ドラム軸９３の左端部が、左側壁９４の後端部を貫通しかつ軸挿通穴５８Ａに挿通され、ドラム軸９３の右端部が、右側壁９５の後端部を貫通しかつ貫通穴８Ｇに挿通されるように、ドラム本体９２に挿通する。これにより、ドラム軸９３は、ドラムフレーム９０に相対回転不能に支持されており、ドラム本体９２は、ドラムフレーム９０に対して相対回転可能である。
２．クリーニング動作
次に、ワイヤクリーナー６による放電ワイヤ１９のクリーニング動作について説明する。
【０１６９】
放電ワイヤ１９をクリーニングするには、図１に示すように、ホームポジションにある
ワイヤクリーナー６のリブ４７を把持して、ワイヤクリーナー６を右方に押圧する。これによって、ワイヤクリーナー６は、第１メインレール２２および第２メインレール２５にガイドされて、右方に移動する。
【０１７０】
すると、図９Ａに示すように、ガイド接触部５２Ｃの第１接触面５２Ｅが、第１ガイドレール２３の第２部分２３Ｄに左方から当接するとともに、ガイド接触部５４Ｃの第１接触面５４Ｅが、第２ガイドレール２６の第２部分２６Ｄに左方から当接する。
【０１７１】
そして、ワイヤクリーナー６がさらに右方へ移動すると、図９Ａおよび図９Ｂに示すように、ガイド接触部５２Ｃの第１接触面５２Ｅは、第２部分２３Ｄと摺擦した後、第２部分２３Ｄから離れ、ガイド接触部５２Ｃの第２接触面５２Ｆが、第２ガイド部２３Ｂに到達する。また、ガイド接触部５４Ｃの第１接触面５４Ｅは、第２部分２６Ｄと摺擦した後、第２部分２６Ｄから離れて、ガイド接触部５４Ｃの第２接触面５４Ｆが、第２ガイド部２６Ｂに到達する。
【０１７２】
これにより、ガイド接触部５２Ｃは、第２ガイド部２３Ｂに位置し、第２ガイド部２３Ｂにより、後方に向かって押圧される。すると、第１フロントアーム５２は、第１フロントアーム５２と延部４８との連続部分を支点として、底面視時計回り方向に揺動する。
【０１７３】
また、ガイド接触部５４Ｃは、第２ガイド部２６Ｂに位置し、第２ガイド部２６Ｂにより、前方に向かって押圧される。すると、第１リアアーム５４は、第１リアアーム５４と延部４８との連続部分を支点として、底面視反時計回り方向に揺動する。
【０１７４】
つまり、第１ガイドレール２３の第２部分２３Ｄは、ワイヤクリーナー６の左右方向の移動をガイドするとともに、ガイド接触部５２Ｃの揺動をガイドし、第２ガイドレール２６の第２部分２６Ｄは、ワイヤクリーナー６の左右方向の移動をガイドするとともに、ガイド接触部５４Ｃの揺動をガイドする。
【０１７５】
以上によって、ワイヤクリーナー６は、ガイド接触部５２Ｃが第２ガイド部２３Ｂに位置し、ガイド接触部５４Ｃが第２ガイド部２６Ｂに位置するクリーニングポジションに到達する。
【０１７６】
ワイヤクリーナー６がクリーニングポジションにある状態において、挟持部５３Ｂおよび挟持部５５Ｂは、ワイヤクリーナー６がホームポジションにある状態の力Ｆ１よりも大きな力Ｆ２で、清掃部４３を挟む。
【０１７７】
これにより、清掃部４３が、図２Ｂに示すように、挟持部５３Ｂおよび挟持部５５Ｂにより、ワイヤ３５に押し付けられる。すると、清掃部４３の硬質部材５７が、ワイヤ３５の周面に沿うように変形し、弾性部材５６が、硬質部材５７の変形を許容するように弾性変形する。これによって、硬質部材５７が、ワイヤ３５の周面を囲み、ワイヤ３５と面接触する。つまり、ワイヤクリーナー６がホームポジションにある状態において、挟持部５３Ｂおよび挟持部５５Ｂは、清掃部４３がワイヤ３５に接触するように、清掃部４３を介して、ワイヤ３５を力Ｆ２で挟んでいる。なお、力Ｆ２が、第１挟持力の一例である。
【０１７８】
次いで、ワイヤクリーナー６をさらに右方に移動させると、図９Ｂに示すように、第１メインレール２２および第２メインレール２５が、ワイヤクリーナー６の上下方向の移動を規制しながら、ワイヤクリーナー６の左右方向への移動をガイドし、第１ガイドレール２３の第２ガイド部２３Ｂおよび第２ガイドレール２６の第２ガイド部２６Ｂが、ワイヤクリーナー６の前後方向の移動を規制しながら、ワイヤクリーナー６の左右方向への移動をガイドする。
【０１７９】
これにより、ワイヤクリーナー６は、クリーニングポジションを維持したまま、左右方向に移動する。
【０１８０】
このとき、清掃部４３の硬質部材５７が、ワイヤ３５と摺擦することにより、ワイヤ３５に付着した付着物を掻き取って、放電ワイヤ１９をクリーニング（清掃）する。
【０１８１】
そして、放電ワイヤ１９のクリーニングが終了すると、ワイヤクリーナー６は、クリーニングポジションからホームポジションに引き戻される。
【０１８２】
すると、図３に示すように、ガイド接触部５２Ｃの第２接触面５２Ｆと、第１ガイドレール２３の第２ガイド部２３Ｂとの当接が解消されて、ガイド接触部５２Ｃは、第１部分２３Ｃに対して後方に僅かに間隔を空けて配置される。
【０１８３】
また、ガイド接触部５４Ｃの第２接触面５４Ｆと、第２ガイドレール２６の第２ガイド部２６Ｂとの当接が解消されて、ガイド接触部５４Ｃは、第２部分２６Ｄに対して前方に僅かに間隔を空けて配置される。
【０１８４】
以上によって、ワイヤクリーナー６による放電ワイヤ１９のクリーニング動作が完了する。
３．ドラムカートリッジの使用態様
図１０に示されるように、ドラムカートリッジ１は、画像形成装置の一例としのプリンタ６０に装着されて使用される。
【０１８５】
プリンタ６０は、電子写真方式のモノクロプリンタである。プリンタ６０は、本体ケーシング６１と、プロセスカートリッジ６８と、スキャナユニット６４と、定着ユニット６６とを備えている。
【０１８６】
本体ケーシング６１は、略ボックス形状を有している。本体ケーシング６１は、開口部６２と、フロントカバー６３と、給紙トレイ６５と、排紙トレイ６７とを有している。
【０１８７】
開口部６２は、本体ケーシング６１の前端部に配置されている。開口部６２は、プロセスカートリッジ６８の通過を許容するように、本体ケーシング６１の内外を前後方向に連通している。
【０１８８】
フロントカバー６３は、本体ケーシング６１の前端部に配置されている。フロントカバー６３は、板形状を有している。フロントカバー６３は、上下方向に延び、その下端部を支点として本体ケーシング６１の前壁に揺動可能に支持されている。フロントカバー６３は、開口部６２を開閉可能である。
【０１８９】
給紙トレイ６５は、本体ケーシング６１の底部に配置されている。給紙トレイ６５は、用紙Ｐを収容可能である。
【０１９０】
排紙トレイ６７は、本体ケーシング６１の上壁に配置されている。排紙トレイ６７は、用紙Ｐが載置されるように、本体ケーシング６１の上面から下方へ凹んでいる。
【０１９１】
プロセスカートリッジ６８は、本体ケーシング６１の上下方向略中央に収容されている。プロセスカートリッジ６８は、開口部６２を介して本体ケーシング６１に対して装着または離脱される。
【０１９２】
プロセスカートリッジ６８は、上記したドラムカートリッジ１と、現像カートリッジ６９とを備えている。
【０１９３】
現像カートリッジ６９は、ドラムカートリッジ１に着脱可能であって、ドラムカートリッジ１に装着された状態において、感光ドラム９１の前方に配置される。現像カートリッジ６９は、現像ローラ７１と、供給ローラ７２と、層厚規制ブレード７３と、トナー収容室７４とを備えている。
【０１９４】
現像ローラ７１は、現像カートリッジ６９の後端部に配置されている。現像ローラ７１は、感光ドラム９１の前端部に接触している。
【０１９５】
供給ローラ７２は、現像ローラ７１の前下方に配置されている。供給ローラ７２の後上端部は、現像ローラ７１の前下端部に接触している。
【０１９６】
層厚規制ブレード７３は、現像ローラ７１の前上方に配置されている。層厚規制ブレード７３は、現像ローラ７１の前端部に接触している。
【０１９７】
トナー収容室７４は、供給ローラ７２および層厚規制ブレード７３の前方に配置されている。トナー収容室７４は、トナーを収容している。
【０１９８】
スキャナユニット６４は、プロセスカートリッジ６８の上方に配置されている。スキャナユニット６４は、感光ドラム９１に向けて画像データに基づくレーザービームを出射可能である。
【０１９９】
定着ユニット６６は、プロセスカートリッジ６８の後方に配置されている。定着ユニット６６は、加熱ローラ７９と、加熱ローラ７９の後下端部に圧接される加圧ローラ８０とを備えている。
【０２００】
プリンタ６０が画像形成動作を開始すると、放電ワイヤ１９およびグリッド１８は、感光ドラム９１の表面を一様に帯電する。スキャナユニット６４は、感光ドラム９１の表面を露光する。これにより、画像データに基づく静電潜像が、感光ドラム９１の表面に形成される。
【０２０１】
また、供給ローラ７２は、トナー収容室７４内のトナーを現像ローラ７１に供給する。このとき、トナーは、現像ローラ７１と供給ローラ７２との間で正極性に摩擦帯電される。そして、現像ローラ７１は、トナーを担持する。層厚規制ブレード７３は、現像ローラ７１に担持されたトナーの層厚を一定厚さに規制する。
【０２０２】
そして、現像ローラ７１は、担持するトナーを、感光ドラム９１表面の静電潜像に供給する。これにより、トナー像が、感光ドラム９１の表面に担持される。
【０２０３】
用紙Ｐは、給紙トレイ６５から、各種ローラの回転により、所定のタイミングで１枚ずつ、感光ドラム９１と転写ローラ９６との間に給紙される。感光ドラム９１表面のトナー像は、用紙Ｐが感光ドラム９１と転写ローラ９６との間を通過するときに、用紙Ｐに転写される。
【０２０４】
その後、用紙Ｐは、加熱ローラ７９と加圧ローラ８０との間を通過するときに加熱および加圧される。これにより、用紙Ｐ上のトナー像は、用紙Ｐに熱定着される。その後、用紙Ｐは、排紙トレイ６７に排紙される。
４．作用効果
（１）図３に示すように、ワイヤクリーナー６がホームポジションにあるときに、第１フロントアーム５２のガイド接触部５２Ｃは、第１ガイドレール２３の第１ガイド部２３Ａに位置し、第１リアアーム５４のガイド接触部５４Ｃは、第２ガイドレール２６の第１ガイド部２６Ａに位置する。このとき、挟持部５３Ｂおよび挟持部５５Ｂは、清掃部４３が放電ワイヤ１９のワイヤ３５と接触しないように、ワイヤ３５を相対的に小さい力Ｆ１で挟んでいる。そのため、ワイヤクリーナー６を、常には、ホームポジションに配置すれば、放電ワイヤ１９に過度な負荷がかかることを抑制できる。
【０２０５】
そして、放電ワイヤ１９を清掃するときに、図９Ｂに示すように、ワイヤクリーナー６をクリーニングポジションに移動させれば、挟持部５３Ｂおよび挟持部５５Ｂが、清掃部４３がワイヤ３５と接触するように、ワイヤ３５を相対的に大きい力Ｆ２で挟むので、清掃部４３と放電ワイヤ１９とを確実に接触させることができる。
【０２０６】
そのため、放電ワイヤ１９に過度な負荷がかかることを抑制できながら、放電ワイヤ１９を確実に清掃できる。
（２）第１ガイド部２３Ａは、図３に示すように、第２部分２３Ｄを有し、第１ガイド部２６Ａは、第２部分２６Ｄを有している。そのため、ワイヤクリーナー６が、ホームポジションからクリーニングポジションに移動すると、第１フロントアーム５２は、図９Ｂに示すように、第１ガイド部２３Ａにガイドされて、放電ワイヤ１９に近づくように移動し、第２ガイド部２３Ｂに到達する。また、第１リアアーム５４は、第１ガイド部２６Ａにガイドされて、放電ワイヤ１９に近づくように移動し、第２ガイド部２６Ｂに到達する。
【０２０７】
そのため、ワイヤクリーナー６が移動したときに、第１フロントアーム５２を、第１ガイド部２３Ａと第２ガイド部２３Ｂとに円滑に移動させることができるとともに、第１リアアーム５４を第１ガイド部２６Ａと第２ガイド部２６Ｂとに円滑に移動させることができる。
（３）第１フロントアーム５２は、図４Ｄに示すように、延部４８から右方に延び、第１リアアーム５４は、延部４８から右方に延びている。また、第２フロントアーム５３は、第１フロントアーム５２から下方に延び、第２リアアーム５５は、第１リアアーム５４から下方に延びている。
【０２０８】
そのため、ワイヤクリーナー６が上下方向に大型化することなく、延部４８と第１フロントアーム５２との連続部分と、第２フロントアーム５３との間の距離、および、延部４８と第１リアアーム５４との連続部分と、第２リアアーム５５との間の距離を大きく確保することができる。
【０２０９】
そして、第１フロントアーム５２は、延部４８と第１フロントアーム５２との連続部分を支点として、第１ガイド部２３Ａに位置する状態と、第２ガイド部２３Ｂに位置する状態との間を移動し、第１リアアーム５４は、延部４８と第１リアアーム５４との連続部分を支点として、第１ガイド部２６Ａに位置する状態と、第２ガイド部２６Ｂに位置する状態との間を移動する。
【０２１０】
そのため、アーム部４５を容易に移動させることができながら、第２フロントアーム５３の移動量、および、第２リアアーム５５の移動量を大きく確保することができる。
【０２１１】
そのため、第１ガイド部２３Ａに位置するフロントアーム５０、および、第１ガイド部２６Ａに位置するリアアーム５１を、清掃部４３が放電ワイヤ１９と接触しないように配置できながら、第２ガイド部２３Ｂに位置するフロントアーム５０、および、第２ガイド部２６Ｂに位置するリアアーム５１を、清掃部４３と放電ワイヤ１９とが確実に接触するように配置できる。
【０２１２】
そのため、放電ワイヤ１９に過度な負荷がかかることを確実に抑制できながら、放電ワイヤ１９をより一層確実に清掃できる。
（４）図１に示すように、ワイヤクリーナー６を移動させるときに、本体部４４のリブ４７を作業者が操作することができる。そのため、ワイヤクリーナー６の操作性の向上を図ることができる。
（５）弾性部材５６が、図２Ａおよび図２Ｂに示すように、放電ワイヤ１９と接触する硬質部材５７を支持しているので、硬質部材５７を弾性的に放電ワイヤ１９に接触させることができる。
【０２１３】
そのため、放電ワイヤ１９の清掃時において、硬質部材５７と放電ワイヤ１９との安定した接触を確保することができ、放電ワイヤ１９を確実に清掃することができる。
（６）カバー部材５は、図１に示すように、ホームポジションにあるワイヤクリーナー６が、左方へ移動することを規制する。そのため、ワイヤクリーナー６が帯電フレーム４から脱落することを抑制することができる。
５．変形例
上記の実施形態では、図５Ａおよび図５Ｂに示すように、ワイヤ電極１４を第２側壁８の所定位置に配置した後、ワイヤ電極１４のフック部３９Ｂを、放電ワイヤ１９のリングフック３６に引っ掛けているが、これに限定されない。
【０２１４】
例えば、ワイヤ電極１４のフック部３９Ｂを、放電ワイヤ１９のリングフック３６に引っ掛けた後、ワイヤ電極１４を第２側壁８の所定位置に配置することもできる。
【０２１５】
上記の実施形態では、図１に示すように、帯電ユニット２が、本体ケーシング６１に着脱可能なドラムカートリッジ１に備えられているが、本発明はこれに限定されない。
【０２１６】
例えば、感光ドラム９１および帯電ユニット２が、本体ケーシング６１に備えられ、現像カートリッジ６９のみが、感光ドラム９１および帯電ユニット２を備える本体ケーシング６１に対して着脱可能とすることもできる。
【０２１７】
これらによっても、上記の実施形態と同様の作用効果を奏することができる。
【０２１８】
なお、これら実施形態および変形例のそれぞれは、適宜組み合わせることができる。
【符号の説明】
【０２１９】
２      帯電ユニット
４      帯電フレーム
５      カバー部材
６      ワイヤクリーナー
１９    放電ワイヤ
２３Ａ  第１ガイドレールの第１ガイド部
２３Ｂ  第１ガイドレールの第２ガイド部
２３Ｄ  第１ガイドレールの第１ガイド部の第２部分
２６Ａ  第２ガイドレールの第１ガイド部
２６Ｂ  第２ガイドレールの第２ガイド部
２６Ｄ  第２ガイドレールの第１ガイド部の第２部分
４３    清掃部
４４    本体部
４５    アーム部
４６    平板部
４７    リブ
４８    延部
５２    第１フロントアーム
５３    第２フロントアーム
５４    第１リアアーム
５５    第２リアアーム
５６    弾性部材
５７    硬質部材
【図１】
2016145901.tif 000003
【図２】
2016145901.tif 000004
【図３】
2016145901.tif 000005
【図４】
2016145901.tif 000006
【図５】
2016145901.tif 000007
【図６】
2016145901.tif 000008
【図７】
2016145901.tif 000009
【図８】
2016145901.tif 000010
【図９】
2016145901.tif 000011
【図１０】
2016145901.tif 000012